(57)【要約】【課題】手間を掛けることなく、簡単にティッシュケースに取り付けることができる、ティッシュケースホルダーを提供する。【解決手段】ティッシュケースホルダー１０は、ホルダー本体１２を含む。ホルダー本体１２は、ティッシュケースのティッシュペーパー取出し口と対向するように配置された開口部１８Ａを有する天面壁部１４と、天面壁部１４の周縁から下方に延び設けられる胴体壁部１６とを含む。ホルダー本体１２は、天面壁部１４および胴体壁部１６で囲まれ、ティッシュケースが着脱自在に嵌め込まれて収納・保持される収納保持部２８を有する。胴体壁部１６の内壁面には、ティッシュケースが収納保持部２８に収納・保持された際に、ティッシュケースの胴体部を押圧し、ティッシュケースが収納保持部２８から抜け落ちないように把持する把持部３０が配設されている。【選択図】図１
2008030819.tif 000002
【特許請求の範囲】
【請求項１】
ティッシュペーパーを取り出すための取り出し口が備えられたティッシュケースを被うようにして取り付けられるティッシュケースホルダーであって、
前記取出し口と対向するように配置された開口部を有する天面壁部および前記天面壁部の周縁から下方に延び設けられる胴体壁部を含むホルダー本体、
前記天面壁部および前記胴体壁部で囲まれ、前記ティッシュケースが着脱自在に嵌め込まれて収納・保持される収納保持部、および
前記胴体壁部の内壁面に配設され、前記ティッシュケースが前記収納保持部に収納・保持された際に、前記ティッシュケースの胴体部を押圧し、前記ティッシュケースが前記収納保持部から抜け落ちないように把持する把持部を含むことを特徴とする、ティッシュケースホルダー。
【請求項２】
前記把持部は、前記胴体壁部の内壁面から前記収納保持部に収納されたティッシュケースを押圧する方向に突出する突出体を含み、
前記突出体は、前記ティッシュケースが前記収納保持部に収納・保持された際に、前記ティッシュケースの胴体部を押圧して当接される隆起部と、前記ティッシュケースの外周面との間に隙間が有するように配置される非当接部とを含むことを特徴とする、請求項１に記載のティッシュケースホルダー。
【請求項３】
前記突出体と前記胴体壁部とが一体的に形成されていることを特徴とする、請求項１または請求項２に記載のティッシュケースホルダー。
【請求項４】
前記ホルダー本体の前記収納保持部は、前記天面壁部および前記胴体壁部で、前記ティッシュケースの形状に対応するように形成されていることを特徴とする、請求項１〜請求項３のいずれかに記載のティッシュケースホルダー。
【請求項５】
前記ホルダー本体は、前記ホルダー本体を前記ティッシュケースに被せたときに、前記ホルダー本体の自重により落下して、前記収納保持部に前記ティッシュケースを収納・保持させることが可能な重さを有することを特徴とする、請求項１〜請求項４のいずれかに記載のティッシュケースホルダー。
【発明の詳細な説明】
【技術分野】
【０００１】
本願発明は、ティッシュケースホルダーに関し、特に、ティッシュケースを被覆するようにその内側に着脱自在に保持して、当該ティッシュケースを保護することができる、ティッシュケースホルダーに関する。
【背景技術】
【０００２】
本願発明の背景となる従来技術には、伸縮性繊維で上下両面を開放した環状筒型に形成された帯状装飾体の両側部に弾性体を一体化させ、ティッシュペーパーボックスを着脱自在に被覆できるようにした構造のティッシュペーパーボックスカバーがあった（例えば、特許文献１参照）。
ところが、この環状筒型に形成されたティッシュペーパーボックスカバーは、上下方向の伸縮性が少ないので、所定の高さを有する大きさのティッシュペーパーボックスに被覆することは可能であるが、１つのティッシュペーパーボックスカバーを高さ（大きさ）の異なるティッシュペーパーボックスの全てに被覆して用いることは困難であった。すなわち、特許文献１の技術では、所定の範囲を超える高さを備えた大きさのティッシュペーパーボックスには被覆することができないという不具合があり、特に、当該ティッシュペーパーボックスカバーをティッシュペーパーボックスに無理矢理被せた場合には、使用している間に、当該ティッシュペーパーボックスカバーの上面部または底面部がティッシュペーパーボックスの周縁端部から外れてしまう恐れがあった。
【０００３】
そこで、このような不具合を解消するために、ティッシュペーパーの取り出し口を具えた上面部と、四側面部と、底面部とを一体に連続させた略箱形のカバーを、柔軟性と伸縮性とに富む編み地を用いて縫製し、この１つのカバー内に、上面部の取り出し口から大、中、小と大きさ（高さ）の異なるティッシュペーパーボックスを収容できるようにしたティッシュペーパーボックス用カバーが提案されている（例えば、特許文献２参照）。
【０００４】
また、本願発明の背景となる従来技術には、たとえば使用済のティッシュペーパーを速やかに廃棄処理することができるようにした利便性の高いティッシュボックスホルダがあった（例えば、特許文献４参照）。このティッシュボックスホルダは、外箱とゴミ受け箱と、外箱の上面に設置される蓋とを含む。外箱は、上面が開放され、側面に、切り抜かれた開口部を有する。ゴミ受け箱は、上面が開口され、上面が外箱の上面に一致するようにして、外箱の内部に設置され、外箱の内部に、ティッシュボックス収納空間を画定している。このティッシュボックスホルダでは、外箱内に、ティッシュボックス収納空間と、使用済のティッシュペーパーが廃棄されるゴミ受け箱が併設されているため、ティッシュペーパーの廃棄に際し、使用済みのティッシュペーパーをごみ箱の設置場所までわざわざ捨てに行く必要や、ティッシュボックスと共にごみ箱を備えておくといった煩わしさが解消され、利便性の高いものとなっている。
【０００５】
一方では、斬新的なものとして、ペーパーの取出しのたび毎に床面でゆらゆらと揺れながら除除に水平状態に減衰して停止するという動きのあるティッシュペーパーホルダーが提案されている（例えば、特許文献３参照）。このティッシュペーパーホルダーは、合成樹脂成形で形成された２つの回転体を含み、２つの回転体の片面には、ティッシュペーパー箱の長手方向の両サイドを取り付けるための箱状体等の係止部が設けられている。ティッシュペーパー箱の両サイドをこの２つの回転体の係止部に係止する場合、ティッシュペーパー箱のペーパーの取り出し口を上部に位置させ、略水平状態での回転体の重心点を下部に設定することによって、常時、床面にペーパーの取り出し口が水平状態にセッティングされる構造となっている。
【０００６】
【特許文献１】登録実用新案第３０４３３８９号公報
【特許文献２】特開２００４−２６７４３５号公報
【特許文献３】特開２００３−３２５３７８号公報
【特許文献４】特開２００３−３２７２５１号公報
【発明の開示】
【発明が解決しようとする課題】
【０００７】
しかしながら、上述したいずれの従来技術においても、ティッシュペーパー箱，ティッシュペーパーボックス，ティッシュボックス等のティッシュペーパーが多数枚積み重ねられて収納された箱形容器（ティッシュケース）に、ティッシュペーパーボックスカバー，ティッシュペーパーボックス用カバー，ティッシュボックスホルダ，ティッシュペーパーホルダー等のティッシュケースホルダーを取り付ける際に、手間の掛かる構造となっていて、ワンタッチで簡単に取り付けることができないという不具合を有するものであった。
すなわち、特許文献１の技術において、ティッシュペーパーボックスにティッシュペーパーボックスカバーを取り付ける場合には、一旦、両手で、帯状装飾体を弾性体と共にその弾性力に抗して引き伸ばした後、ティッシュペーパーボックスの周囲にティッシュペーパーボックスカバーを巻回させるようにして取り付けなければならず、しかも、その際、帯状装飾体の一側部をティッシュペーパーボックスの開口側に対応させるように位置決めして取り付ける必要があるので、案外、手間の係るものとなっていた。
また、特許文献２の技術は、個のカバーで大きさ（高さ）の異なるティッシュペーパーボックスを収納できるティッシュペーパーボックス用カバーではあるが、このティッシュペーパーボックスをティッシュペーパーボックス用カバー内に収納させて取り付ける場合には、先ず、上面部の取り出し口にティッシュペーパーボックスの前端面部を挿入する。次に、取り出し口の前縁を拡開させながら該端面部を取り出し口内に押し入れ、ボックスの大きさに応じて四側面部とともに底面部と上面部とを拡開させることにより、ボックスの前端面部をカバー内に収容する。さらに、この前端面部を挿入する操作に続いて、取り出し口の後縁を拡開させながら該ボックスの後端面部を取り出し口内に挿入することによって、四側面部とともに底面部と上面部とが前後の端面部でほぼ均等に伸長した状態となり、ティッシュペーパーボックス全体をティッシュペーパーボックス用カバー内に収納させることができる。そのため、この特許文献２の技術では、ティッシュペーパーボックス用カバーをティッシュペーパーボックスに取り付けるのに非常に手間の要するものとなっていた。
さらに、特許文献３の技術では、使用済みのティッシュペーパーの廃棄に際し、利便性の高いティッシュボックスホルダになっているが、ティッシュボックスを取り替える場合には、先ず、蓋の第２の開口部に指を入れて引っ掛け、蓋を持ち上げて蓋を取り外し、次に、空になったティッシュボックスを取り出して、新品のティッシュボックスを外箱の収納空間に設置した後、再度、外箱の上面に蓋を設置しなければならず、手間の掛かるものであり、また、このティッシュボックスホルダでは、外箱内にゴミ受け箱が併設されているため、部品点数が多くなる上、しかも、蓋が単に外箱の上面に載置しただけの構造なので、たとえば不意な外力によって蓋が外箱から外れ落ちる等の恐れもあった。
一方、特許文献４の技術では、動きのある斬新的なティッシュペーパーホルダーとなっているが、このティッシュペーパーホルダーをティッシュペーパー箱に取り付ける際には、ティッシュペーパー箱のペーパーの取り出し口を上部に位置させ、２つの回転体の重心点を下部に設定するように、ティッシュペーパー箱の長手方向の両サイドをティッシュペーパーホルダーの２つの回転体の係止部に係止する必要があり、この場合、一方の手で１つの回転体を把持し、他方の手でティッシュペーパー箱を把持してその長手方向の一端側を当該回転体の係止部に嵌め込んだ後、さらに、同様の操作手順で、もう１つの回転体の係止部にティッシュペーパー箱の長手方向の他端側を嵌め込む作業が必要となるため、特許文献４の技術においても、ティッシュペーパーホルダーをティッシュペーパー箱に取り付けるのに手間の掛かるものであった。
【０００８】
それゆえに、本願発明の主たる目的は、手間を掛けることなく、簡単にティッシュケースに取り付けることができる、ティッシュケースホルダーを提供することである。
【課題を解決するための手段】
【０００９】
請求項１にかかる本願発明は、ティッシュペーパーを取り出すための取り出し口が備えられたティッシュケースを被うようにして取り付けられるティッシュケースホルダーであって、取出し口と対向するように配置された開口部を有する天面壁部および天面壁部の周縁から下方に延び設けられる胴体壁部を含むホルダー本体と、天面壁部および胴体壁部で囲まれ、ティッシュケースが着脱自在に嵌め込まれて収納・保持される収納保持部と、胴体壁部の内壁面に配設され、ティッシュケースが収納保持部に収納・保持された際に、ティッシュケースの胴体部を押圧し、ティッシュケースが収納保持部から抜け落ちないように把持する把持部を含むことを特徴とする、ティッシュケースホルダーである。
請求項１にかかる本願発明では、例えば、ティッシュケースは、当該ティッシュケースの上側からホルダー本体を被せるようにするか、あるいは、ホルダー本体の下側から収納保持部に向けてティッシュケースを嵌め込むようにするかなどの方法により、ティッシュケースがホルダー本体の収納保持部に収納・保持されると、把持部によって、ティッシュケースの胴体部が押圧されて支持されるため、ティッシュケースが当該収納保持部から抜け落ちることが防止される。この場合、ホルダー本体の収納保持部にティッシュケースを嵌め込むだけで、簡単に当該ティッシュケースをホルダー本体に保持させることが可能となる。
請求項２にかかる本願発明は、請求項１にかかる発明に従属する発明であって、把持部は、胴体壁部の内壁面から収納保持部に収納されたティッシュケースを押圧する方向に突出する突出体を含み、突出体は、ティッシュケースが収納保持部に収納・保持された際に、ティッシュケースの胴体部を押圧して当接される隆起部と、ティッシュケースの胴体部との間に隙間が有するように配置される非当接部とを含むことを特徴とする、ティッシュケースホルダーである。
請求項２にかかる本願発明では、突出体が胴体壁部の内壁面から収納保持部に収納されるティッシュケースを押圧する方向に突出され、突出体の隆起部がティッシュケースの胴部を押圧して当接される構造なので、この隆起部によって、ティッシュケースの胴体部が押圧・支持される。そのため、ホルダー本体の収納保持部に嵌め込まれたティッシュケースは、当該収納保持部から抜け落ちることがない。また、ティッシュケースが収納保持部に収納・保持された場合には、突出体の隆起部で押圧されたティッシュケースの胴体部は凹むけれども、突出体の非当接部は、ティッシュケースの胴部を押圧することがなく、当該ティッシュケースの胴体部と当該非当接部との間には隙間が形成される。この場合、ホルダー本体の下側から、当該隙間にたとえば指を入れて収納保持部からティッシュケースを容易に取り外すことが可能となる。
請求項３にかかる本願発明は、請求項１または請求項２にかかる発明に従属する発明であって、突出体と胴体壁部とが一体的に形成されていることを特徴とする、ティッシュケースホルダーである。
請求項３にかかる本願発明は、請求項１または請求項２にかかる発明と同様の作用・効果を有するもので、特に、突出体と胴体壁部とが一体的に形成されているため、例えば、突出体と胴体壁部とが別体で形成され、胴体壁部に後付けにより突出体を形成したものに比べて、製造工程が複雑なものとはならない。
請求項４にかかる本願発明は、請求項１〜請求項３のいずれかにかかる発明に従属する発明であって、ホルダー本体の収納保持部は、天面壁部および胴体壁部で、ティッシュケースの形状に対応するように形成されていることを特徴とする、ティッシュケースホルダーである。
請求項４にかかる本願発明は、請求項１〜請求項３のいずれかにかかる発明と同様の作用・効果を有するもので、特に、ホルダー本体の収納保持部がティッシュケースの形状に対応するように形成されているため、例えば、ティッシュケースが直方体形、立方体形、円筒形、楕円筒形、３角形筒形，５角形筒形，６角形筒形等の角筒形に形成されている場合、それらの形状に見合った収納保持部を有するホルダー本体を適宜用いることが可能となる。
請求項５にかかる本願発明は、請求項１〜請求項４のいずれかにかかる発明に従属する発明であって、ホルダー本体は、ホルダー本体をティッシュケースに被せたときに、ホルダー本体の自重により落下して、収納保持部にティッシュケースを収納・保持させることが可能な重さを有することを特徴とする、ティッシュケースホルダーである。
請求項５にかかる本願発明では、ティッシュケースの上からホルダー本体を単に被せるだけで、ホルダー本体の自重により、収納保持部にティッシュケースを収納・保持させることができるので、特に、請求項１〜請求項４にかかる本願発明のものと比べて、より一層、手間を掛けることなく、ワンタッチで簡単にティッシュケースに取り付けることが可能となる。
【発明の効果】
【００１０】
本願発明にかかるティッシュケースカバーによれば、手間を掛けることなく、簡単にティッシュケースに取り付けることができるという効果がある。
【００１１】
本願発明の上述の目的、その他の目的、特徴および利点は、図面を参照して行う以下の発明を実施するための最良の形態の説明から一層明らかとなろう。
【発明を実施するための最良の形態】
【００１２】
図１の（Ａ）は、本願発明にかかるティッシュケースホルダーの実施形態の一例を示す斜視図であり、図１の（Ｂ）は、図１の（Ａ）のティッシュケースホルダーを底面側から見た斜視図である。
本実施形態例にかかるティッシュケースホルダー１０は、図６の（Ａ），（Ｂ），（Ｃ）に示すように、ティッシュペーパーＰを取り出すための取り出し口１００Ａが備えられたたとえば直方体形のティッシュケース１００を被うようにして着脱自在に取り付けられるティッシュケースホルダーである。ティッシュケース１００は、紙等で形成され、ある程度の弾性を有するものである。
【００１３】
なお、ティッシュケース１００は、剛性が低いため当該ティッシュケース１００の胴体部分１０２が局部的に折れ曲がったり、天板１０４等の部分が撓んでしまうことを防止するために、当該ティッシュケース１００の胴体部１０２の上端縁側近傍には、その周囲に補強片（図示せず）が配設されている。この補強片（図示せず）によって、ティッシュケース１００には、ある程度の剛性が付与され、取り出し口１００Ａにより弱くなった天面部１０４の端縁部を補強するとともに、外部から作用する力に対して抵抗してある程度の強度を有するティッシュケース１００となっている。
【００１４】
本実施形態例にかかるティッシュケースホルダー１０は、図１の（Ａ），（Ｂ）に示すように、ホルダー本体１２を含む。ホルダー本体１２は、たとえば矩形プレート状の天面壁部１４と、筒状の胴体壁部１６とを含む。天面壁部１４は、たとえば図２に示すように、平面視矩形状の天面壁部材１８を含み、天面壁部材１８は、その中央に、たとえば平面視略横長矩形の開口部１８Ａを有している。この開口部１８Ａは、たとえば図８に示すように、当該ティッシュケースホルダー１０に取り付けられるティッシュケース１００の取り出し口１００Ａと対向するように配置され、また、当該取り出し口１００Ａよりも大きいものとなっている。
【００１５】
また、ホルダー本体１２の胴体壁部１６は、たとえば正面視台形状の正面壁部材２０，右側面壁部材２２，左側面壁部材２４および背面壁部材２６を含む。正面壁部材２０，右側面壁部材２２，左側面壁部材２４および背面壁部材２６は、それぞれ、天面壁部材１８の周縁から下方に延び設けられ、当該４つの壁部材２０，２２，２４，２６で、たとえば略四角錐台筒形状に形成されている。
【００１６】
さらに、ホルダー本体１２は、その内側に、上述したティッシュケース１００が着脱自在に嵌め込まれて収納・保持される収納保持部２８を有する。すなわち、天面壁部１４および胴体壁部１６の正面壁部材２０，右側面壁部材２２，左側面壁部材２４，背面壁部材２６で囲まれた内側部分のスペースによって収納保持部２８が構成され、収納保持部２８は、ティッシュケース１００を収納できる大きさを有するものとなっている。この場合、ホルダー本体１２の収納保持部２８は、天面壁部１４と胴体壁部１６とで、ティッシュケース１００の形状に対応するように形成されている。
【００１７】
この収納保持部２８の内壁面には、図１の（Ｂ），図３，図４および図５等に示すように、把持部３０が配設されている。把持部３２は、ティッシュケースが収納保持部に収納・保持された際に、特に、図７の（Ａ），（Ｂ），（Ｃ）に示すように、ティッシュケース１００の胴体部１０２を押圧し、ティッシュケース１００が収納保持部２８から抜け落ちないように把持して保持するものである。把持部３０は、たとえば図４，図５に示すように、たとえば胴体壁部１６の上下方向に所定の長さで延び設けられる正面視縦長矩形状で断面流線形の突出体３２で形成されている。この突出体３２は、胴体壁部１６の内壁面から収納保持部に収納されたティッシュケース１００を押圧する方向に突出するように配設されている。
【００１８】
本実施形態例では、たとえば図３に示すように、胴体壁部１６の正面壁部材２０および背面壁部材２６の長手方向に所定の間隔を隔てて、それぞれ、たとえば２つの突出体３２が配設され、右側面壁部材２２および左側面壁部材２４の長手方向の中央に、それぞれ、たとえば１つの突出体３２が配設されている。この場合、正面壁部材２０および背面壁部材２６のそれぞれに配設された２つの突出体３２は、互いに対向するように配置され、また、右側面壁部材２２および左側面壁部材２４のそれぞれに配設された１つの突出体３２も互いに対向するように配置されている。
【００１９】
突出体３２は、図１の（Ｂ），図４，図５等に示すように、たとえば雫型球冠状の隆起部３４を含む。隆起部３４は、胴体壁部１６の正面壁部材２０，右側面壁部材２２，左側面壁部材２４，背面壁部材２６において、それぞれ、下側から上側にいくに従って漸次収納保持部２８内方への突出厚みが大きくなるように形成されている。隆起部３４は、特に、たとえば図７の（Ａ），（Ｂ），（Ｃ）に示すように、ティッシュケース１００が収納保持部２８に収納・保持された際に、ティッシュケース１００の胴体部１０２を押圧して当接される当接部としての機能を有するものである。
【００２０】
また、隆起部３４の長手方向の両側には、ティッシュケース１００の胴体部１０２との間に隙間Ｇが有するように配置される非当接部３６が連接されている。隆起部３４および非当接部３６は一体的に形成されており、また、突出体３２は、胴体壁部１６の正面壁部材２０，右側面壁部材２２，左側面壁部材２４，背面壁部材２６と一体的に形成されている。本実施形態例では、ホルダー本体１２を構成する胴体壁部１６の正面壁部材２０，右側面壁部材２２，左側面壁部材２４，背面壁部材２６と、把持部３０の突出体３２とが、たとえばポリエステル樹脂および炭酸カルシウムを含むポリストーンで一体的に形成されている。
なお、このホルダー本体１２を構成する材料としては、ポリストーン以外にも、たとえば陶磁器、金属、木材、樹脂等のある程度の硬度と重量を有するものであれば、適宜、用いられ得るものである。
【００２１】
次に、上述したティッシュケースホルダー１０の使用方法および作用・効果について、たとえば図６，図７，図８および図９を参照しながら、以下、説明する。
本実施形態例にかかるティッシュケースホルダー１０では、たとえば図６の（Ａ），（Ｂ），（Ｃ）に示すように、ティッシュケース１００の上側から当該ティッシュケースホルダー１０のホルダー本体１２を被せるようにするか、あるいは、ホルダー本体１２の下側から収納保持部２８に向けてティッシュケース１００を嵌め込むようにするかなどの方法によって、ティッシュケース１００がホルダー本体１２の収納保持部２８に収納・保持される。この場合、ホルダー本体１２の収納保持部２８にティッシュケース１００を嵌め込むだけで、簡単に当該ティッシュケース１００をホルダー本体１２に保持させることができる。また、ティッシュケース１００は、把持部３０によって、ティッシュケース１００の胴体部１０２が押圧されて支持されるので、ティッシュケース１００が当該収納保持部２８から抜け落ちることが防止されている。
【００２２】
本実施形態例にかかるティッシュケースホルダー１０では、特に、たとえば図７の（Ａ），（Ｂ），（Ｃ）に示すように、突出体３２が胴体壁部１６の内壁面から収納保持部２８に収納されるティッシュケース１００を押圧する方向に突出され、突出体３２の隆起部３４がティッシュケース１００の胴体部１０２を押圧して当接される構造のため、この隆起部３４により、ティッシュケース１００の胴体部１０２が押圧・支持される。したがって、このティッシュケースホルダー１０では、ホルダー本体１２の収納保持部２８に嵌め込まれたティッシュケース１００が、当該収納保持部２８から抜け落ちることがない。
【００２３】
また、ティッシュケース１００が収納保持部２８に収納・保持された場合には、特に、図７の（Ｃ）に示すように、隆起部３４で押圧されたティッシュケース１００の胴体部１０２は凹むけれども、ティッシュケース１００がある程度の弾性を有する紙等で形成されているので、当該凹み部分３８には、ティッシュケース１００の弾性力の範囲内で、把持部２８の押圧力に抗する付勢力が作用している。そのため、このティッシュケースホルダー１０では、ホルダー本体１２の収納保持部２８からティッシュケース１００を取り外すと、凹み部分３８にかかる押圧力が解除され、凹み部分３８は元の平坦面の状態に復帰する。
【００２４】
一方、突出体３２の非当接部３６は、ティッシュケース１００の胴体部１０２を押圧することがない。そのため、当該ティッシュケース１００の胴体部１０２と当該非当接部３６との間には、図７の（Ｃ）および図９等に示すように、隙間Ｇが形成される。したがって、このティッシュケースホルダー１０では、ホルダー本体１２の下側から、当該隙間Ｇにたとえば指を入れて収納保持部２８からティッシュケース１００を容易に取り外すことができる。また、このティッシュケースホルダー１０では、天面壁部材１８の中央に配設された開口部１８Ａが、ティッシュケース１００の取り出し口１００Ａと対向するように配置され、且つ、取り出し口１００Ａよりも大きいものとなっているので、収納保持部２８にティッシュケース１００を収納保持した場合、図８に示すように、開口部１８Ａには、ティッシュケース１００の天面および取り出し口１００Ａが露出されるものとなっている。そのため、当該ティッシュケースホルダー１０では、その開口部１８Ａから指等でティッシュケース１００の天面を下側に押圧すれば、ホルダー本体１２からティッシュケース１００を簡単にワンタッチで取り外すことも可能である。
【００２５】
本実施形態例にかかるティッシュケースホルダー１０では、図６の（Ａ），（Ｂ），（Ｃ）に示すように、ティッシュケース１００の上からホルダー本体１２を単に被せるだけで、ホルダー本体１２の自重により、当該ホルダー本体１２が自然落下して、収納保持部２８にティッシュケース１００を収納・保持させることができるため、本願発明の背景となる従来技術のものと比べて、手間を掛けることなく、ワンタッチで簡単にティッシュケース１００に取り付けることができる。
また、本実施形態例では、把持部３０を構成する突出体３２と胴体壁部１６とが一体的に形成されているため、例えば、突出体３２と胴体壁部１６とが別体で形成され、胴体壁部１６に後付けにより突出体３２を形成したものに比べて、製造工程が複雑なものとはならない。
【００２６】
さらに、上述した実施形態例にかかるティッシュケースホルダー１０では、ホルダー本体１２の収納保持部２８がティッシュケース１００の形状に対応するように形成されているので、例えば、ティッシュケース１００が直方体形、立方体形、円筒形、楕円筒形、３角形筒形，５角形筒形，６角形筒形等の角筒形に形成されている場合、それらの形状に見合った収納保持部２８を有するホルダー本体１２を適宜用いるようにすることができる。
【００２７】
また、上述した実施形態例にかかるティッシュケースホルダー１０では、収納保持部２８に収納・保持されるティッシュケース１００の高さに応じて、収納保持部２８の深さを対応させるようにすればよい。さらに、２つのティッシュケース１００が積み重ねられた場合でも、その積み重ねられた高さに対応するように、収納保持部２８の深さを対応させれば、積み重ねられた２つのティッシュケース１００を収納保持部２８に収納・保持することが可能となる。
【００２８】
さらに、上述した実施形態例にかかるティッシュケースホルダー１０では、把持部３０を構成する突出体３２と胴体壁部１６とが一体的に形成されているけれども、突出体３２をゴム等の弾性を有する滑り止め材料で形成し、天面壁部１４および胴体壁部１６をスチールやアルミ等の金属で形成することも適宜可能である。
【００２９】
上述した実施形態例にかかるティッシュケースホルダー１０では、把持部３０を構成する突出体３２が、胴体壁部１６の正面壁部材２０および背面壁部材２６の長手方向に所定の間隔を隔てて、それぞれ、たとえば２つ対向するように配設され、右側面壁部材２２および左側面壁部材２４の長手方向の中央に、それぞれ、たとえば１つ対向するように配設されているが、当該突出体３２は、たとえば胴体壁部１６の正面壁部材２０および背面壁部材２６の組み合せの方か、あるいは、右側面壁部材２２および左側面壁部材２４の組み合わせの方のいずれか一方の組み合せの方だけに配設するようにしてもよく、また、突出体３２の数も１つ以上であれば、適宜、変更可能である。なお、突出体３２は、上述した実施形態例に示したように、胴体壁部１６の四方の壁部材２０，２２，２４，２６に１つ以上配設され、収納保持部２８に嵌め込まれたティッシュケース１００の胴体部を四方から押圧・把持するようにすることが最も好ましい態様である。
【図面の簡単な説明】
【００３０】
【図１】（Ａ）は、本願発明にかかるティッシュケースホルダーの実施形態の一例を示す斜視図であり、（Ｂ）は、（Ａ）のティッシュケースホルダーを底面側から見た斜視図である。
【図２】図１のティッシュケースホルダーの平面図である。
【図３】図１のティッシュケースホルダーの底面図である。
【図４】図２のＡ−Ａ断面図である。
【図５】図２のＢ−Ｂ断面図である。
【図６】（Ａ），（Ｂ），（Ｃ）は、図１〜図５に示すティッシュケースホルダーをティッシュケースに取り付ける取り付け方法の一例を示す分解斜視図であって、（Ａ）は取り付け前の状態を示す分解斜視図であり、（Ｂ）は取り付け途中の状態を示す分解斜視図であり、（Ｃ）は取り付け後の状態を示す分解斜視図である。
【図７】（Ａ），（Ｂ），（Ｃ）は、図１〜図５に示すティッシュケースホルダーをティッシュケースに取り付ける際の把持部の作用・効果を示す要部断面図であって、（Ａ）はである。取り付け前の状態を示す要部断面図であり、（Ｂ）は取り付け途中の状態を示す要部断面図であり、（Ｃ）は取り付け後の状態を示す要部断面図である。
【図８】図１〜図５に示すティッシュケースホルダーをティッシュケースに取り付けた状態を示す斜視図である。
【図９】図１〜図５に示すティッシュケースホルダーをティッシュケースに取り付けた状態を底面側から見た斜視図である。
【符号の説明】
【００３１】
１０  ティッシュケースホルダー
１０Ａ  開口部
１２  ホルダー本体
１４  天面壁部
１６  胴体壁部
１８  天面壁部材
１８Ａ  開口部
２０  正面壁部材
２２  右側面壁部材
２４  左側面壁部材
２６  背面壁部材
２８  収納保持部
３０  把持部
３２  突出体
３４  隆起部
３６  非当接部
３８  凹み部分
１００  ティッシュケース
１００Ａ  ティッシュケースの取り出し口
１０２  ティッシュケースの胴体部
１０４  ティッシュケースの天面部
Ｇ  隙間
Ｐ  ティッシュペーパー
【図１】
2008030819.tif 000003
【図２】
2008030819.tif 000004
【図３】
2008030819.tif 000005
【図４】
2008030819.tif 000006
【図５】
2008030819.tif 000007
【図６】
2008030819.tif 000008
【図７】
2008030819.tif 000009
【図８】
2008030819.tif 000010
【図９】
2008030819.tif 000011